(57)【要約】【課題】  記録メディアの挿入方向を分かりやすく表示すると共に、蓋が開いているのか、メディアが未装填なのかが一目で分かるようにしたデータ記録装置およびデータ記録装置の表示方法を提供する。【解決手段】  データ記録用メディアを装填可能なデータ記録装置において、メディア装填部２９を開放する位置と、メディア装填部を覆う位置に移動可能な蓋５５と、蓋５５が開放位置にあるか否かを検知する第１の検知手段と、記録メディア１６が装填されているか否かを検知する第２の検知手段と、第１および第２検知手段によって、蓋５５が開放位置にあり、かつ、記録メディア１６が装填されていないことが検知された場合には、記録メディア１６の装填方向を告知する動的ガイド表示を行う液晶モニタ１２と、を有する。【選択図】  図６
2009211246.tif 000002
【特許請求の範囲】
【請求項１】
データ記録用メディアを装填可能なデータ記録装置において、
上記メディアを装填するためのメディア装填部と、
上記メディア装填部を開放する第１の位置と、上記メディア装填部を覆う第２の位置とを移動可能な蓋と、
上記蓋が上記第１の位置にあるか否かを検知する第１の検知手段と、
上記メディアが装填されているか否かを検知する第２の検知手段と、
上記第１の検知手段で上記蓋が上記第１の位置にあって、かつ、上記第２の検知手段で上記メディアが装填されていないことが検知された場合に、上記メディアの装填方向を告知する動的ガイド表示を行う表示手段と、
を具備したことを特徴とするデータ記録装置。
【請求項２】
上記表示手段は、上記メディアを模した画像が上記メディアの装填方向と同じ方向に移動するような動的ガイド表示を行うことを特徴とする請求項１に記載のデータ記録装置。
【請求項３】
上記表示手段は、上記動的ガイド表示中に上記第２の検知手段で上記メディアが装填されたことが検知された場合に、上記動的ガイド表示を中断して上記蓋が上記第１の位置にあることを告知する表示に切り換えることを特徴とする請求項１に記載のデータ記録装置。
【請求項４】
データ記録用メディアを装填可能なデータ記録装置において、
上記メディアを装填するためのメディア装填部と、
上記メディア装填部を開放する第１の位置と、上記メディア装填部を覆う第２の位置とを移動可能な蓋と、
上記蓋が上記第１の位置にあるか否かを検知する第１の検知手段と、
上記メディアが装填されているか否かを検知する第２の検知手段と、
画像を表示可能な表示手段と、
上記第１の検知手段で上記蓋が上記第１の位置にあって、かつ、上記第２の検知手段で上記メディアが装填されていることが検知された場合に、上記蓋が上記第１の位置にあることを上記表示手段に告知する第１の表示制御手段と、
上記第１の検知手段で上記蓋が上記第１の位置にあって、かつ、上記第２の検知手段で上記メディアが装填されていないことが検知された場合に、上記メディアの装填方向を上記表示手段に告知する動的ガイド表示を行う第２の表示制御手段と、
を具備したことを特徴とするデータ記録装置。
【請求項５】
データ記録用メディアをメディア装填部に装着可能なデータ記録装置の表示方法において、
上記メディア装填部を開放する第１の位置と、上記メディア装填部を覆う第２の位置とを移動可能な蓋が上記第１の位置にあるか否かと、上記メディアが装填されているか否かを検知し、
上記蓋が上記第１の位置にあって、かつ、上記メディアが装填されていないことが検知された場合に、上記メディアの装填方向を告知する動的ガイド表示を表示手段に行う、
ことを特徴とするデータ記録装置の表示方法。
【発明の詳細な説明】
【技術分野】
【０００１】
本発明は、データ記録装置およびデータ記録装置の表示方法に関し、詳しくは、装着自在の記録メディアを装填可能なデータ記録装置およびデータ記録装置の表示方法に関する。
【背景技術】
【０００２】
デジタルカメラ等の記録装置に使用される記録メディアは、記録装置の記録メディアの蓋を開放し、この蓋の奥の挿入孔内に装填するよう構成されている。記録メディアには、装填方向があり、間違うと、記録装置との間で電気接続をとることができない。
【０００３】
そこで、誤装填防止のために、記録メディアの形状を左右非対称としているが、ユーザーによっては誤った装填を行い、記録メディアを破損してしまうことがある。これを解決するために、特許文献１には、記録メディアを装填する際に、正しい挿入方向や向きを表示部に表示するようにした携帯型情報端末機が開示されている。
【特許文献１】特開２００５−３０１５３４号公報
【発明の開示】
【発明が解決しようとする課題】
【０００４】
しかし、特許文献１に記載の携帯型情報端末機では、単に挿入方向が静止画で表示されているだけであり、ユーザーとしては、挿入動作を理解しにくい場合がある。また、記録メディアを挿入した際に、ほこり等からメディアを保護するための蓋等を有する記録装置においては、記録メディアが装填されていないのか、蓋が閉められていないのか、分かりにくいといった問題があった。
【０００５】
本発明は、このような事情を鑑みてなされたものであり、記録メディアの挿入方向を分かりやすく表示すると共に、蓋が開いているのか、メディアが未装填なのかが一目で分かるようにしたデータ記録装置およびデータ記録装置の表示方法を提供することを目的とする。
【課題を解決するための手段】
【０００６】
上記目的を達成するため第１の発明に係わるデータ記録装置は、データ記録用メディアを装填可能なデータ記録装置において、上記メディアを装填するためのメディア装填部と、上記メディア装填部を開放する第１の位置と、上記メディア装填部を覆う第２の位置とを移動可能な蓋と、上記蓋が上記第１の位置にあるか否かを検知する第１の検知手段と、上記メディアが装填されているか否かを検知する第２の検知手段と、上記第１の検知手段で上記蓋が上記第１の位置にあって、かつ、上記第２の検知手段で上記メディアが装填されていないことが検知された場合に、上記メディアの装填方向を告知する動的ガイド表示を行う表示手段と、を具備する。
【０００７】
第２の発明に係わるデータ記録装置は、上記第１の発明において、上記表示手段は、上記メディアを模した画像が上記メディアの装填方向と同じ方向に移動するような動的ガイド表示を行う。
また、第３の発明に係わるデータ記録装置は、上記第１の発明において、上記表示手段は、上記動的ガイド表示中に上記第２の検知手段で上記メディアが装填されたことが検知された場合に、上記動的ガイド表示を中断して上記蓋が上記第１の位置にあることを告知する表示に切り換える。
【０００８】
第４の発明に係わるデータ記録装置は、データ記録用メディアを装填可能なデータ記録装置において、上記メディアを装填するためのメディア装填部と、上記メディア装填部を開放する第１の位置と、上記メディア装填部を覆う第２の位置とを移動可能な蓋と、上記蓋が上記第１の位置にあるか否かを検知する第１の検知手段と、上記メディアが装填されているか否かを検知する第２の検知手段と、画像を表示可能な表示手段と、上記第１の検知手段で上記蓋が上記第１の位置にあって、かつ、上記第２の検知手段で上記メディアが装填されていることが検知された場合に、上記蓋が上記第１の位置にあることを上記表示手段に告知する第１の表示制御手段と、上記第１の検知手段で上記蓋が上記第１の位置にあって、かつ、上記第２の検知手段で上記メディアが装填されていないことが検知された場合に、上記メディアの装填方向を上記表示手段に告知する動的ガイド表示を行う第２の表示制御手段と、を具備する。
【０００９】
第５の発明に係わるデータ記録装置の表示方法は、データ記録用メディアをメディア装填部に装着可能なデータ記録装置の表示方法において、上記メディア装填部を開放する第１の位置と、上記メディア装填部を覆う第２の位置とを移動可能な蓋が上記第１の位置にあるか否かと、上記メディアが装填されているか否かを検知し、上記蓋が上記第１の位置にあって、かつ、上記メディアが装填されていないことが検知された場合に、上記メディアの装填方向を告知する動的ガイド表示を表示手段に行う。
【発明の効果】
【００１０】
本発明によれば、記録用メディアの挿入方向を分かりやすく表示すると共に、蓋が開いているのか、メディアが未装填なのかが一目で分かるようにしたデータ記録装置およびデータ記録装置の表示方法を提供することができる。
【発明を実施するための最良の形態】
【００１１】
以下、図面に従って本発明を適用したデジタルカメラを用いて好ましい一実施形態について説明する。このデジタルカメラは、カメラ本体の正面側には、撮影レンズが設けられており、この撮影レンズによる結像面近傍に配置された撮像素子によって取得された画像データに基づく被写体像が液晶モニタに表示される。また、レリーズ釦の操作に応じて、画像データが記録メディアに記録され、記録された画像データは液晶モニタに再生表示される。記録メディアは、カメラ本体に対して脱着自在であり、記録メディアの装填時には記録メディアの挿入方向等について液晶モニタに表示がなされる。
【００１２】
図１は、本発明の実施形態に係るデジタルカメラについて背面底部側からみた外観斜視図である。カメラ１の背面には、撮像素子によって取得された画像データに基づいて被写体をライブビューで表示し、また、記録された被写体像を再生表示するための液晶モニタ（液晶をＬＣＤとも言う）１２が配置されている。
【００１３】
また、カメラ１の背面の液晶モニタ１２の右上には、プログラムモード等の撮影モードを設定するための設定ダイヤル５１が配置されている。設定ダイヤル５１の下方には、カメラ１のパワー制御を行う電源オンオフ釦５２が配置されている。
【００１４】
電源オンオフ釦５２がオンとなるとパワーオンとなり、カメラ１は通常の動作状態となる。電源オンオフ釦５２がオフとなるとパワーオフとなり、カメラ１は省電力のための非動作状態となる。ただし、パワーオフ状態でも、記録メディア１６の蓋５５等の操作による割り込み処理を受け付け、記録メディア１６の装填をアシストする表示を行う。
【００１５】
電源オンオフ釦５２の下方には、十字釦５３が配置されている。この十字釦５３は、メニューモード等が設定された際に、液晶モニタ１２上のカーソルを移動させ、十字釦５３の中央部に設けたＯＫ釦の操作によって、選択項目を確定することができる。
【００１６】
カメラ１の底面には、メディア装填部２９が設けられている。このメディア装填部２９は、記録メディア１６を装填するための挿入孔を有し、この挿入孔の内部には、記録メディア１６を格納する空間と電気接続をとるための接点等が設けられている。記録メディア１６は、撮像素子によって撮像された被写体の画像データを記録するメディアであり、ｘDピクチャーカード(登録商標)、コンパクトフラッシュ(登録商標)、ＳＤメモリカード(登録商標)、またはメモリスティック(登録商標)等の書換え可能な記録媒体である。
【００１７】
記録メディア１６がメディア装填部２９に装填された状態で、これを覆うための位置（閉位置）と、メディア装填部２９を開放する位置（開位置）とに回動可能な蓋５５が設けられている。この蓋５５はヒンジ機構によってカメラ１に取り付けられている。蓋５５がメディア装填部２９を覆う位置に回動した際に、蓋５５に押圧される位置に蓋開閉検知部材２８が設けられている。この蓋開閉検知部材２８は、弾性部材等により突出方向に付勢されており、蓋５５が閉じると、蓋開閉検知部材２８は引っ込んだ位置になる。
【００１８】
カメラ１の内部には、蓋開閉検知部材２８の移動に応じてオンオフする蓋開閉スイッチ２７（図２参照）が設けられており、この蓋開閉スイッチ２７のオンオフを検知することにより、蓋５５が開位置にあるか閉位置にあるかを判定することができる。
【００１９】
次に、図２を用いて、デジタルカメラの電気系を主とする全体構成を説明する。カメラ１の正面には被写体像形成用の撮影レンズ３が設けられており、撮影レンズ３の後方には、被写体光量調節用の絞り４が配置されている。撮影レンズ３の結像面近傍には撮像素子５が配置されており、撮像素子５としては、ＣＣＤ（Charge Coupled Devices）またはＣＭＯＳ（Complementary Metal Oxide Semiconductor）等の二次元撮像素子が用いられる。
【００２０】
撮像素子５には、撮像素子ドライバ９の出力が接続されており、また、撮像素子ドライバ９には、タイミング回路１０の出力が接続されている。タイミング回路１０から出力されるタイミングクロックに従って、撮像素子ドライバ９は、撮像素子５から画像信号の読出しを行う。
【００２１】
撮像素子５の出力は、プリプロセス回路６に接続されている。プリプロセス回路６は撮像素子５から読み出された画像信号を増幅する等、アナログ的な処理を行う。プリプロセス回路６の出力は、Ａ／Ｄ（Analogue Digital）変換器７に接続されている。Ａ／Ｄ変換器７は、アナログ的に処理された画像信号をデジタル信号に変換する。
【００２２】
Ａ／Ｄ変換器７の出力は、デジタル処理回路８に接続されている。デジタル処理回路８は、デジタル画像データのデジタル的増幅（デジタルゲイン調整処理）、ＩＳＯ感度処理、色補正、ガンマ（γ）補正、コントラスト補正、ライブビュー表示用画像生成等の各種の画像処理を行なう。また、デジタル処理回路８は、フレームメモリ１４や記録メディア１６等に記憶された画像データをＪＰＥＧやＴＩＦＦ等の圧縮方式で圧縮し、また、圧縮画像データを伸張する。なお、画像圧縮はＪＰＥＧやＴＩＦＦに限らず、他の圧縮方式も適用できる。
【００２３】
デジタル処理回路８の出力は、ＬＣＤドライバ１１に接続され、ＬＣＤドライバ１１の出力は液晶モニタ１２に接続されている。ＬＣＤドライバ１１は液晶モニタ１２における画像の表示制御を行う。
【００２４】
データバス３０には、前述のプリプロセス回路６、Ａ／Ｄ変換器７、デジタル処理回路８、ＬＣＤドライバ１１が接続され、また、ＣＰＵ２、メモリコントローラ１３、フレームメモリ１４、カードインターフェース（以下、カードＩ／Ｆと称す）１５、ＲＯＭ１７、ＲＡＭ１８が接続されている。
【００２５】
メモリコントローラ１３は、デジタル処理回路８等から出力される画像データを、フレームメモリ１４に書き込み、またフレームメモリ１４から読み出しする際の制御を行う。フレームメモリ１３は、ＳＤＲＡＭ（Synchronous Dynamic Random Access Memory）等によって構成され、画像データの一時記憶メモリである。
【００２６】
カードＩ／Ｆ１５の近傍には、メディア装填部２９が設けられており、このメディア装填部２９を介して記録メディア１６が装填される。カードＩ／Ｆ１５は、記録メディア１６に画像データを記録し、また読み出すためのインターフェースである。
【００２７】
ＣＰＵ２は、このカメラ１の全体制御を行うシステムコントローラである。ＲＯＭ１７は、ＣＰＵ２で実行するプログラムや、また各種調整を記憶し、フラッシュメモリ等の電気的に書き換え可能な不揮発性メモリで構成される。なお、プログラムを記憶するだけであれば、マスクＲＯＭでも良い。ＲＡＭ１８は、揮発性のメモリであり、データ等の一時記憶メモリとして使用される。
【００２８】
タイマ回路２４は、カレンダー機能を有し、日時情報等をＣＰＵ２に出力する。レリーズ釦、設定ダイヤル５１、電源オンオフ釦５２、十字釦５３等の各種操作部材に連動する操作スイッチ群２３は、スイッチ入力回路２２に接続されている。スイッチ入力回路２２は、操作スイッチ群２３の各スイッチの状態を検出し、ＣＰＵ２に出力する。また、蓋開閉検知部材２８に連動する蓋開閉スイッチ２７は、スイッチ入力回路２２に接続されると共に、直接ＣＰＵ２の割り込み端子に接続されている。
【００２９】
レンズ駆動部１９、絞り駆動部２０およびストロボ発光部２１の各入力は、ＣＰＵ２の出力にそれぞれ接続されている。レンズ駆動部１９は、撮影レンズ３のピント合わせや、焦点距離調節を行う。絞り駆動部２０は、絞り４の絞り開口量の駆動制御を行う。ストロボ発光部２１は、カメラ１に内蔵されており、被写体に向けてストロボ光を照射する。
【００３０】
次に、図３に示すフローチャートを用いて、本実施形態におけるカメラ１のパワーオン時の動作を説明する。図３のフローチャートは、カメラ１に電源電池が装填されるとスタートする。パワーオンのフローがスタートすると、まず、システム起動を行う（Ｓ１）。システム起動では、カメラ１内の各回路・各部材に電源電圧を供給し、電気的および機械的なリセット動作を行い、省電力のための非動作状態から動作状態となる。
【００３１】
システム起動が終わると、次に、記録メディア１６の検出を行う（Ｓ３）。この検出は、ＣＰＵ２からカードＩ／Ｆ１５を介して、記録メディア１６と通信が可能であるか否かを判定することにより行う。すなわち、記録メディア１６が装填されている場合には、通信が可能であることから、記録メディア１６が有るか否かを判定できる。判定の結果、記録メディア１６が有った場合には、蓋５５の開閉状態を検出する（Ｓ５）。この検出は、蓋開閉スイッチ２７の状態を、スイッチ入力回路２２を介して検出することにより行う。
【００３２】
ステップＳ５における判定の結果、蓋５５が閉じていた場合には、通常のカメラ動作を行う（Ｓ１１）。すなわち、カメラ１には、記録メディア１６が装填されており、かつ、蓋５５が閉じていることから、通常のカメラ動作を実行することが可能である。通常のカメラ動作として、ライブビュー表示、レリーズ釦の半押しによる撮影準備動作、レリーズ釦の全押しによる撮影動作と画像の記録動作等のいずれかを行い、ステップＳ５に戻り、蓋５５の状態を検出し、蓋５５が閉じていれば、通常動作を繰り返し実行する。
【００３３】
ステップＳ５における判定の結果、蓋５５が開いていた場合には、蓋５５の開き状態を液晶モニタ１２に表示する（Ｓ７）。すなわち、図５に示すように、カメラ１の背面と、蓋５５が開いている様子示す画像を告知表示すると共に、蓋が開いている旨の告知を液晶モニタ１２に行う。蓋５５が開いている画像が表示されることから、ユーザーは蓋５５が開いた状態であることに気付く。
【００３４】
また、この状態では、ステップＳ１１における通常動作を実行することができないが、液晶モニタ１２を見ることにより、ユーザーは容易に通常動作を実行できない理由を知ることができる。なお、告知表示する際に、ユーザーが気付きやすいように、音による表示も併せて行ってもよい。
【００３５】
次に、ステップＳ３と同様に記録メディア１６の検出を行う（Ｓ９）。蓋５５が開放されると、記録メディア１６がメディア装填部２９から引き出される可能性があることから、記録メディア１６の状態を検出する。判定の結果、記録メディア１６が有った場合には、ステップＳ５に戻り、前述の動作を繰り返す。
【００３６】
ステップＳ３における判定の結果、記録メディア１６がなかった場合には、ステップＳ５と同様に、蓋５５の状態を検出する（Ｓ１３）。判定の結果、蓋５５が閉じていた場合には、ステップＳ１１と同様に通常のカメラ動作を実行する（Ｓ１５）。ただし、ステップＳ１５を実行する場合には、蓋５５は閉じているが、記録メディア１６が未装填の場合であることから、カメラ１は、ＲＯＭ１７に書き込めるだけの少数の駒数でしか撮影を行うことができない。なお、ＲＯＭ１７に記録する以外にも、デモモード等、記録動作を行わない撮影動作を行うようにしても良い。
【００３７】
ステップＳ１３にける判定の結果、蓋５５が開いていた場合、または、ステップＳ９における判定の結果、記録メディア１６が無かった場合には、図６に示すように、記録メディア１６の挿入方向を案内する動的ガイド表示を行う（Ｓ１７、Ｓ１９）。すなわち、この状態は、蓋５５が開いており、記録メディア１６が未装填の状態であることから、ユーザーに記録メディア１６の挿入方法を表示する。
【００３８】
動的ガイド表示としては、まず、図６（ａ）に示すように、カメラ１の背面の像と共に、メディア装填部２９に向けて、記録メディア１６の全体が見える画像（挿入方向案内１）を表示する（Ｓ１７）。このとき、記録メディア１６の裏表や、接続端子の位置が分かるように表示する。また、「メディアはこちらの向きで挿入してください」等、挿入方法等の告知表示を行う。
【００３９】
続いて、動的ガイド表示として、図６（ｂ）に示すように、カメラ１の背面の像と共に、メディア装填部２９に記録メディア１６の一部が挿入されている画像（挿入方向案内２）を表示する（Ｓ１９）。挿入方向案内２を表示すると、次に、ステップＳ３と同様に記録メディア検出を行う（Ｓ２１）。判定の結果、記録メディア１６が無かった場合には、ステップＳ１３に戻る。
【００４０】
ステップＳ１３において、蓋５５が開いていることが検出され、ステップＳ２１において、記録メディア１６が無いことが検出されている限り、ステップＳ１７、Ｓ１９における挿入方向案内１と挿入方向案内２が繰り返し表示される。この結果、あたかも、記録メディア１６が、メディア装填部２９の装填孔に向けて動いているように見え、記録メディア１６の挿入方向が一目で理解される。
【００４１】
ステップＳ２１における判定の結果、記録メディア１６が有った場合には、ステップＳ７にジャンプし、図５に示すように、蓋５５が開き状態であることを表示する。すなわち、ステップＳ２１からステップＳ７にジャンプする状態は、蓋５５が開いている状態で、記録メディア１６が装填された状態であり、ユーザーに蓋５５を閉じるように告知する。なお、告知表示する際に、ユーザーが気付きやすいように、音による表示も併せて行ってもよい。
【００４２】
このように、本実施形態におけるパワーオンのフローでは、蓋５５が開き状態にあり、かつ、記録メディア１６が装填されていない場合には、図６に示すような挿入方向案内１と挿入方向案内２の画像を繰り返し表示することにより、動的ガイド表示で告知表示を行っている。このため、記録メディア１６を装填するにあたって、記録メディア１６の左右・裏表の位置関係とその挿入方向の向きを分かりやすく表示することができる。
【００４３】
また、蓋５５が開いている場合には、図５に示すように蓋開き状態を告知表示し（Ｓ７）、また、蓋５５が開いていると共に記録メディア１６が未装填の場合には、図６に示すように記録メディア１６の装填方向を示す動的ガイド表示で告知表示を行っている（Ｓ１７、Ｓ１９）。このように２種類の告知表示を選択的に行うようにしているため、カメラ１が通常動作を実行しない場合、蓋５５が開いているためか、記録メディア１６が未装填なためかを、分かりやすく表示することができる。
【００４４】
次に、図４に示すフローチャートを用いて、カメラ１のパワーオフ状態において蓋５５の開動作に伴う割り込み処理の動作を説明する。図４のフローチャートは、カメラ１がパワーオフ状態において、蓋５５が開放されると、蓋開閉スイッチ２９によりＣＰＵ２に割り込みがかかり、動作を開始する（Ｓ３１）。
【００４５】
システム停止状態で割り込み処理が入ると、蓋５５の開閉状態を検出する（Ｓ３３）。ここでの検出は、ステップＳ５と同様に、スイッチ入力回路２２を介して行う。判定の結果、蓋５５が閉じられていた場合には、ステップＳ３１に戻り、システム停止状態（パワーオフ状態）になる。一方、判定の結果、蓋５５が開いた場合には、ステップＳ１と同様に、システム起動を行う（Ｓ３５）。パワーオフ状態からシステム起動することにより、電気的・機械的なリセットを行う。
【００４６】
システム起動すると、次に、ステップＳ３と同様に、記録メディア１６の検出を行う（Ｓ３７）。判定の結果、記録メディア１６が有った場合には、ステップＳ７と同様に、蓋５５の開き状態を液晶モニタ１２に表示する（Ｓ３９）。ここでの表示は、図５に示すように、カメラ１の背面と、蓋５５が開いている様子示す画像を告知表示すると共に、蓋が開いている旨の告知表示を液晶モニタ１２に行う。
【００４７】
続いて、ステップＳ３と同様に、記録メディア１６の検出を行い（Ｓ４１）、判定の結果、記録メディアが有った場合には、ステップＳ５と同様に、蓋５５の開閉状態を検出する（Ｓ４３）。蓋５５が開いていた場合には、ステップＳ３９に戻り、蓋開き状態であることを告知表示する。すなわち、記録メディア１６がカメラ１のメディア装填部２９に装填されているが、蓋５５が開いている場合には、図５に示すように、蓋開き状態を液晶モニタ１２に表示し続ける。一方、ステップＳ４３において、蓋５５が閉じられたことを検出すると、ステップＳ５３にジャンプし、システム動作を終了し、パワーオフ状態に戻る。
【００４８】
ステップ３７またはステップＳ４１における判定の結果、記録メディア１６が無かった場合には、ステップＳ１７、Ｓ１９と同様に、記録メディア１６の挿入方向を案内する動的ガイド表示で告知表示を行う（Ｓ４５、Ｓ４７）。すなわち、メディア挿入方向案内１とメディア挿入方向案内２を表示する。
【００４９】
続いて、ステップＳ３と同様に記録メディア１６の検出を行う（Ｓ４９）。判定の結果、記録メディア１６が無かった場合には、蓋５５の開閉状態を、ステップＳ５と同様に行う（Ｓ５１）。判定の結果、蓋５５が開いていた場合には、ステップＳ４５に戻り、メディア挿入方向案内１とメディア挿入方向案内２を表示する。
【００５０】
したがって、パワーオフ状態で蓋５５が開かれ、かつ、記録メディア１６が未装填の場合には、ステップＳ４５、Ｓ４７において、メディア挿入方向案内１とメディア挿入方向案内２を繰り返し表示する。このため、あたかも記録メディア１６がメディア装填部２９に向けて動いているように見え、ユーザーは記録メディア１６の挿入方向を一目で理解することができる。
【００５１】
動的ガイド表示を行っている最中に、ステップＳ４９において、記録メディア１６の装填が検出されると、ステップＳ３９にジャンプし、動的ガイド表示から図５に示す蓋開き状態表示に変わる。この状態は、記録メディア１６が装填されているが、蓋５５が開いたままであるので、その旨をユーザーに告知する。また、動的ガイド表示を行っている最中に、ステップＳ５１において、蓋５５が閉じられたことを検出すると、システム動作を終了し（Ｓ５３）、パワーオフ状態に戻る。
【００５２】
このように、本実施形態におけるパワーオフ状態で蓋が開かれた場合には、蓋５５が開き状態にあり、かつ、記録メディア１６が装填されていない場合には、図６に示すような挿入方向案内１と挿入方向案内２の画像を繰り返し表示することにより、動的ガイド表示で告知表示を行っている。このため、記録メディア１６を装填するにあたって、記録メディア１６の左右・裏表の位置関係とその挿入方向の向きを分かりやすく表示することができる。
【００５３】
また、動的ガイド表示を行っている最中に、記録メディア１６を装填すると、図５に示すような蓋開き状態の表示に切り替わる。さらに、パワーオフ状態で蓋が開かれ、かつ記録メディア１６が装填済みの場合にも、蓋開き状態の表示に切り替わる。このため、ユーザーは、液晶モニタ１２の表示を見ることにより、蓋５５と記録メディア１６の状態を一目で理解することができる。
【００５４】
さらに、本発明の一実施形態において、省電力のための非動作状態にある際に、蓋５５が開放されたことを検知すると、非動作状態から動作状態になり、蓋５５が開放されていることを表示し、また、記録メディア１６が未装填の場合にはこのことを表示する。このため、非動作状態であっても、記録メディアが装填される場合には、記録メディアの挿入方向をユーザーに伝え、正しい方向で挿入することができる。
【００５５】
なお、本発明の一実施形態において、動的ガイド表示は、挿入方向案内１と挿入方向案内２の画像を交互に表示することによって行っていたが、記録メディア１６の挿入時の中間的な画像を追加し、３以上の画像を順番に表示するようにしても良い。
【００５６】
また、本発明の一実施形態においては、蓋５５の開閉状態の検出は、蓋開閉検知部材２８の空間的な動きを蓋開閉スイッチ２７によって検出していたが、これに限らず、例えば、光電スイッチの利用等、種々の検出方法に置き換えても良い。同様に、記録メディア１６の有無の検出は、ＣＰＵ２から通信を行うことによって検出していたが、これに限らず、例えば、記録メディア１６の装填を検出するスイッチを配置する等、種々の検出方法に置き換えても良い。
【００５７】
さらに、本発明の一実施形態における図５において、蓋５５が開いている様子示す画像を表示すると共に、蓋が開いている旨を文字で告知していたが、この告知は文字以外の記号等でもよく、また省略しても良い。同様に、図６において記録メディア１６の挿入方向等を動的ガイド表示すると共に、記録メディア１６の挿入方法を文字で告知していたが、この告知は文字以外の記号等でもよく、また省略しても良い。
【００５８】
さらに、本発明の一実施形態においては、蓋５５はヒンジ機構等により回動自在となっていたが、これに限らず、摺動自在でもよく、カメラ１の本体から分離する形式でもよい。いずれにしても、記録メディア１６の装填部を開放する第１の位置と、覆う第２の位置との間で移動可能であれば良い。
【００５９】
さらに、本発明の一実施形態における図４のフローチャートは、パワーオフ時において記録メディア１６や蓋５５の検出を行うようにしていたが、パワーオン時においても、長時間に亘って操作部材が操作されない等により、スリープ状態に入った場合にも、同様に記録メディア１６や蓋５５の状態を検出し、検出結果に応じて、液晶モニタ１２に蓋開き状態表示や動的ガイド表示を行うようにしても良い。いずれにしても、省電力のための非動作状態にある場合であれば、蓋５５の状態や、記録メディア１６の装填状態に応じた表示を行うようにすれば良い。
【００６０】
さらに、本発明の一実施形態においては、デジタルカメラとしてコンパクトタイプに適用した例を説明したが、本発明はコンパクトタイプ以外にもデジタル一眼レフタイプ等のデジタルカメラでもよく、また、携帯電話や携帯情報端末（ＰＤＡ：Personal
Digital Assist）等に内蔵されるカメラでも勿論構わない。記録メディアが着脱自在であり、かつ、この記録メディアを覆う蓋等の部材を有するデータ記録装置であれば、本発明を適用することができる。
【００６１】
以上、本発明の一実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００６２】
【図１】本発明の一実施形態に係わるデジタルカメラを背面底部側から見た外観斜視図である。
【図２】本発明の一実施形態に係わるデジタルカメラの電気系の全体構成を示すブロック図である。
【図３】本発明の一実施形態におけるパワーオンリセットの動作を示すフローチャートである。
【図４】本発明の一実施形態におけるデジタルカメラにおいて、パワーオフ状態で蓋の開閉による割り込み処理がなされた場合の動作を示すフローチャートである。
【図５】本発明の一実施形態におけるデジタルカメラにおいて、蓋開き状態を案内する表示を示す図である。
【図６】本発明の一実施形態におけるデジタルカメラにおいて、動的ガイド表示を示す図であり、（ａ）は挿入方向案内１を示す図であり、（ｂ）は挿入方向案内２を示す図である。
【符号の説明】
【００６３】
１・・・カメラ、２・・・システムコントローラ（ＣＰＵ）、３・・・撮影レンズ、４・・・絞り、５・・・撮像素子、６・・・プリプロセス回路、７・・・Ａ／Ｄ変換器、８・・・デジタル処理回路、９・・・撮像素子ドライバ、１０・・・タイミング回路、１１・・・ＬＤＣドライバ、１２・・・液晶モニタ（ＬＣＤ）、１３・・・メモリコントローラ、１４・・・フレームメモリ、１５・・・カードＩ／Ｆ、１６・・・記録メディア、１７・・・ＲＯＭ、１８・・・ＲＡＭ、１９・・・レンズ駆動回路、２０・・・絞り駆動回路、２１・・・ストロボ発光部、２２・・・スイッチ入力回路、２３・・・操作スイッチ群、２４・・・タイマ回路、２７・・・蓋開閉スイッチ、２８・・・蓋開閉検知部材、２９・・・メディア装填部、５１・・・設定ダイヤル、５２・・・電源オンオフ釦、５３・・・十字釦、５５・・・蓋
【図１】
2009211246.tif 000003
【図５】
2009211246.tif 000004
【図６】
2009211246.tif 000005
【図２】
2009211246.tif 000006
【図３】
2009211246.tif 000007
【図４】
2009211246.tif 000008